(57)【要約】【課題】発電を行う過給機の発電停止動作ないし発電開始動作を行う際に、排ガスボイラで発生する蒸気量の急変動を回避して安定して蒸気タービン及び蒸気タービン発電機を運転することができる内燃機関システムを提供する。【解決手段】給水制御弁２７は、汽水分離器１２内の水位が許容水位範囲を下回ると開方向に制御され、かつ、該許容水位範囲を上回ると閉方向に制御され、蒸気入口制御弁２２は、過給機３の発電機３ｃによる発電量の増減に応じて、蒸気タービン発電機４０による発電量を補うように制御される。過給機３の発電機３ｃによる発電を停止する過給機発電停止動作、および／または、過給機３の発電部３ｃによる発電を開始する過給機発電開始動作が行われる際に、汽水分離器１２の許容水位範囲を拡大する。【選択図】図１
2014084853.tif 000002
【特許請求の範囲】
【請求項１】
内燃機関と、
該内燃機関からの排気ガスによって駆動されるタービン部、該タービン部により駆動されて前記内燃機関に空気を圧送するコンプレッサ部、および前記タービン部の回転力を得て発電する発電部を有する過給機と、
前記内燃機関からの排気ガスから熱回収するとともに汽水分離器を備えた排ガスボイラと、
前記汽水分離器内の水位が許容水位範囲を下回ると開方向に制御し、かつ、該許容水位範囲を上回ると閉方向に制御するように前記排ガスボイラへ給水される水量を制御する給水制御弁と、
前記排ガスボイラで得られた蒸気によって駆動される蒸気タービンと、
前記過給機の前記発電部による発電量の増減に応じて、前記蒸気タービン発電機による発電量を補うように蒸気タービンへ導かれる蒸気量を制御する蒸気入口制御弁と、
該蒸気タービンによって発電する蒸気タービン発電機と、
を備えた内燃機関システムであって、
前記過給機の前記発電部による発電を停止する過給機発電停止動作、および／または、前記過給機の前記発電部による発電を開始する過給機発電開始動作が行われる際に、前記汽水分離器の前記許容水位範囲を拡大することを特徴とする内燃機関システム。
【請求項２】
前記過給機は、前記タービン部へ供給される前記排気ガスのタービンノズル通過面積を可変とするタービンノズル通過面積可変機構を備えていることを特徴とする請求項１に記載の内燃機関システム。
【請求項３】
請求項１又は２に記載された内燃機関システムを備えていることを特徴とする船舶。
【請求項４】
内燃機関を駆動する工程と、
内燃機関からの排気ガスによってタービン部を駆動するとともに、該タービン部の駆動によりコンプレッサ部を駆動することで前記内燃機関に空気を圧送する工程と、
前記タービン部の回転力を得て過給機にて発電を行う工程と、
汽水分離器を備えた排ガスボイラに給水を行うとともに前記内燃機関からの排気ガスと熱交換を行うことで蒸気を発生させる工程と、
前記熱交換により発生した蒸気によって蒸気タービンを駆動し、発電を行う工程と、
を備えた内燃機関システムの運転方法において、
前記汽水分離器内の水位が許容水位範囲を下回ると給水を開始し、かつ、該許容水位範囲を上回ると給水を停止する工程と、
前記過給機による発電量の増減に応じて、前記蒸気タービンによる発電量を制御する工程と、
前記過給機による発電を停止する過給機発電停止動作、および／または、前記過給機による発電を開始する過給機発電開始動作が行われる際に、前記汽水分離器の前記許容水位範囲を拡大する工程と、
を備えたことを特徴とする内燃機関システムの運転方法。
【発明の詳細な説明】
【技術分野】
【０００１】
本発明は、例えば舶用ディーゼル機関等の内燃機関を備えた内燃機関システムおよびこれを備えた船舶ならびに内燃機関システムの運転方法に関するものである。
【背景技術】
【０００２】
例えば舶用主機として用いられる低速２サイクルディーゼル機関（内燃機関）には、性能向上のため過給機が設けられている。このような過給機として、発電機を備えたハイブリッド過給機（下記特許文献１参照）や、排気ガスのタービンノズル通過面積を可変としたVTI（Variable Turbine Inlet）過給機（下記特許文献２参照）が知られている。
【先行技術文献】
【特許文献】
【０００３】
【特許文献１】特許第４６４８３４７号公報
【特許文献２】特開２０１０−２１６４６８号公報
【発明の概要】
【発明が解決しようとする課題】
【０００４】
特許文献１に示したようなハイブリッド過給機は、主機とされるディーゼル機関の負荷が約５０％負荷以上とされた場合に発電可能とされている。これは、ディーゼル機関負荷が約５０％以下とされた低負荷では過給機の効率が上がらず発電する余裕がないためである。したがって、ハイブリッド過給機は、所定のディーゼル機関負荷（例えば５０％負荷）で、負荷降下時には発電停止が行われ、負荷上昇時には発電開始が行われることになる。
そして、ハイブリッド過給機を備えたディーゼル機関に対して、ディーゼル機関の排気ガスから熱回収する排ガスエコノマイザを組合せ、排ガスボイラで得られた蒸気によって蒸気タービンを駆動して蒸気タービン発電機にて発電を行う場合には、以下の問題が生じるおそれがある。
【０００５】
すなわち、ディーゼル機関の負荷降下時にハイブリッド過給機の発電停止動作が行われると、発電量が減少するだけでなく、ディーゼル機関から排出される排気ガスの温度が降下する。発電量が減少すると、それを補うために、蒸気タービン発電機の発電量を増加させるように蒸気タービンの蒸気入口制御弁が開方向に制御される。また、排気ガス温度が降下すると、排ガスボイラに設けられた汽水分離器内の圧力が低下するので、さらに蒸気を得ようとして蒸気入口制御弁が開方向に制御される。蒸気入口制御弁が開くと、汽水分離器内の蒸気が強制的に発生させられて汽水分離器内の水位が低下し、許容水位範囲内に維持するために給水制御弁が開方向に制御されて給水を増大させることとなる。しかし、温度の低い新たな給水が供給されるため汽水分離器内の温度が降下して汽水分離器内の圧力がさらに低下してしまう。
このように、ハイブリッド過給機の発電停止動作が行われると、発電量の減少だけでなく排気ガス温度の降下が生じるので、蒸気入口制御弁の開動作および給水制御弁の開動作が重なり、汽水分離器内の圧力が急降下し、排ガスボイラで発生する蒸気量が大きく減少して安定した蒸気タービン及び蒸気タービン発電機の運転が困難となるおそれがある。また、排ガスボイラで発生する蒸気量が大きく減少すると、必要な蒸気が賄えず、最悪の場合、高粘度の重油燃料及び潤滑油を暖めることができず、粘度コントロールができなくなることで主機の安定運転にも影響を及ぼす可能性がある。
【０００６】
また、ディーゼル機関の負荷上昇時にハイブリッド過給機の発電開始動作が行われると、発電量が増加するだけでなく、ディーゼル機関から排出される排気ガスの温度が上昇する。発電量が増加すると、それを補うために、蒸気タービン発電機の発電量を減少させるように蒸気入口制御弁が閉方向に制御される（絞られる）。また、排気ガスの温度が上昇すると、排ガスボイラに設けられた汽水分離器内の圧力が上昇するので、蒸気入口制御弁がさらに閉方向に制御される。蒸気入口制御弁が閉方向に制御されると、汽水分離器内の水位が上昇し、許容水位範囲内に維持するために給水制御弁が閉方向に制御されて（絞られて）、給水を減少させることとなる。しかし、温度の低い新たな給水が適正に供給されないため汽水分離器内の温度が上昇して汽水分離器内の圧力がさらに上昇してしまう。
このように、ハイブリッド過給機の発電開始動作が行われると、発電量の増大だけでなく排気ガス温度の上昇が生じるので、蒸気入口制御弁の閉動作および給水制御弁の閉動作が重なり、汽水分離器内の圧力が急上昇し、排ガスボイラで発生する蒸気量が大きく増加して安定した蒸気タービン及び蒸気タービン発電機の運転が困難となるおそれがある。
【０００７】
以上の通り、ハイブリッド過給機を備えたディーゼル機関に対して、ディーゼル機関の排気ガスから熱回収する排ガスボイラを組合せ、排ガスボイラで得られた蒸気によって蒸気タービンを駆動して蒸気タービン発電機にて発電を行う場合には、ハイブリッド過給機の発電停止動作時ないし発電開始動作時に、排ガスボイラで発生する蒸気量が大きく変動し、安定した蒸気タービン及び蒸気タービン発電機の運転が困難となり、発電停止動作時には発生蒸気量の減少に伴い主機であるディーゼル機関の安定した運転までもが困難となるという問題がある。
【０００８】
一方、特許文献２に示したようなVTI過給機は、主機負荷約６５%以下でのみタービンノズル通過面積を減少させた運転が可能である。これは、主機負荷約６５%以上では、掃気圧力が高くなりすぎてディーゼル機関の筒内燃焼圧力の許容範囲を超えるためである。したがって、VTI過給機のみでも、全負荷域でディーゼル機関の燃料消費量削減に貢献できない。
そこで、ディーゼル機関の約５０％負荷以上といった高負荷域で発電動作するハイブリッド過給機と、VTI過給機とを組み合わせることで、主機全負荷域で推進プラント全体での燃料消費量を抑えることが考えられる。
ここで、推進プラント全体での燃料消費量削減とは、ディーゼル機関からの排ガスエネルギを有効に活用して発電をすることで、発電用エンジンでの燃料消費量を減らし、主機および発電用エンジンを含む推進プラント全体での燃料消費量削減を意味する。
【０００９】
しかし、タービンノズル通過面積を減少させるタービンノズル面積減少動作が行われると、排気温度が降下して、ハイブリッド過給機の発電停止動作と同様の事象、すなわち蒸気入口制御弁の開動作および給水制御弁の開動作が重なり、汽水分離器内の圧力が急下降し、排ガスボイラで発生する蒸気量が大きく減少するといった事象が発生する。また、タービンノズル通過面積を増大させるタービンノズル面積増大動作が行われると、排気温度が上昇して、ハイブリッド過給機の発電開始動作と同様の事象、すなわち蒸気入口制御弁の閉動作および給水制御弁の閉動作が重なり、汽水分離器内の圧力が急上昇し、排ガスボイラで発生する蒸気量が大きく増加するといった事象が発生する。このように、発電機構とともにタービンノズル通過面積可変機構をさらに備えている過給機の場合には、過給機の発電部の停止および開始に伴う不具合をさらに助長させることとなる。特に、過給機発電停止動作とタービンノズル面積減少動作を同時に行う場合や、過給機発電開始動作とタービンノズル面積増大動作を同時に行う場合に顕著である。
したがって、ハイブリッド過給機に対してVTI過給機を組み合わせた場合にも、排ガスボイラで発生する蒸気量が大きく変動し、安定した蒸気タービン及び蒸気タービン発電機の運転が困難となるという問題がある。
【００１０】
本発明は、このような事情に鑑みてなされたものであって、発電を行う過給機の発電停止動作ないし発電開始動作を行う際に、排ガスボイラで発生する蒸気量の急変動を回避して安定して蒸気タービン及び蒸気タービン発電機を運転することができる内燃機関システムおよびこれを備えた船舶ならびに内燃機関システムの運転方法を提供することを目的とする。
また、本発明は、発電を行うとともにタービンノズル通過面積が可変とされた過給機が発電停止動作ないし発電開始動作を行い、かつタービンノズル面積減少動作ないしタービンノズル面積増大動作を行う際に、排ガスボイラで発生する蒸気量の急変動を回避して安定して蒸気タービン及び蒸気タービン発電機を運転することができる内燃機関システムおよびこれを備えた船舶ならびに内燃機関システムの運転方法を提供することを目的とする。
【課題を解決するための手段】
【００１１】
上記課題を解決するために、本発明の内燃機関システムおよびこれを備えた船舶ならびに内燃機関システムの運転方法は以下の手段を採用する。
すなわち、本発明の内燃機関システムは、内燃機関と、該内燃機関からの排気ガスによって駆動されるタービン部、該タービン部により駆動されて前記内燃機関に空気を圧送するコンプレッサ部、および前記タービン部の回転力を得て発電する発電部を有する過給機と、前記内燃機関からの排気ガスから熱回収するとともに汽水分離器を備えた排ガスボイラと、前記排ガスボイラへ給水される水量を制御する給水制御弁と、前記排ガスボイラで得られた蒸気によって駆動される蒸気タービンと、蒸気タービンへ導かれる蒸気量を制御する蒸気入口制御弁と、該蒸気タービンによって発電する蒸気タービン発電機とを備え、前記給水制御弁は、前記汽水分離器内の水位が許容水位範囲を下回ると開方向に制御され、かつ、該許容水位範囲を上回ると閉方向に制御され、前記蒸気入口制御弁は、前記過給機の前記発電部による発電量の増減に応じて、前記蒸気タービン発電機による発電量を補うように制御される内燃機関システムであって、前記過給機の前記発電部による発電を停止する過給機発電停止動作、および／または、前記過給機の前記発電部による発電を開始する過給機発電開始動作が行われる際に、前記汽水分離器の前記許容水位範囲を拡大することを特徴とする。
【００１２】
過給機発電停止動作が行われる際に、汽水分離器の許容水位範囲を拡大することとし、汽水分離器内の水位が低下しても拡大した許容水位範囲内である場合には、給水制御弁を開いて給水量を増大させることを禁止した。これにより、水位が低下しても給水量を増大することがないので、汽水分離器内の圧力の急減少を抑制することができ、排ガスボイラで発生する蒸気量の急減を回避して、安定した蒸気タービン及び蒸気タービン発電機の運転を確保することができる。
また、過給機発電開始動作が行われる際に、汽水分離器の許容水位範囲を拡大することとし、汽水分離器内の水位が上昇しても拡大した許容水位範囲内である場合には、給水制御弁を絞って給水量を減少させることを禁止した。これにより、水位が上昇しても給水量を減少させることがないので、汽水分離器内の圧力の急上昇を抑制することができ、排ガスボイラで発生する蒸気量の急上昇を回避して、安定した蒸気タービン及び蒸気タービン発電機の運転を確保することができる。
なお、汽水分離器の許容水位範囲は、例えば、通常時の±５０ｍｍから、百数十ｍｍ（例えば±１５０ｍｍ）へと拡大される。
また、典型的には、過給機の発電部および蒸気タービンは、需要電力（例えば船内需要電力）を満足するように他の発電機（例えばディーゼルエンジン発電機）や二次電池の発電動作を管理する電力管理システム（ＰＭＳ；Power Management System）によって発電動作が制御される。
【００１３】
さらに、本発明の内燃機関システムでは、前記過給機は、前記タービン部へ供給される前記排気ガスのタービンノズル通過面積を可変とするタービンノズル通過面積可変機構を備えていることを特徴とする。
【００１４】
タービンノズル通過面積を減少させるタービンノズル面積減少動作が行われると、排気温度が降下して、過給機発電停止動作と同様の事象が発生する。また、タービンノズル通過面積を増大させるタービンノズル面積増大動作が行われると、排気温度が上昇して、過給機発電開始動作と同様の事象が発生する。このように、タービンノズル通過面積可変機構を備えている過給機の場合には、過給機の発電部の停止および開始に伴う不具合をさらに助長させることとなる。特に、過給機発電停止動作とタービンノズル面積減少動作を同時に行う場合や、過給機発電開始動作とタービンノズル面積増大動作を同時に行う場合に顕著である。本発明では、上述した内燃機関システムを用いることとしたので、タービンノズル通過面積可変機構を備えている過給機であっても安定した蒸気タービン及び蒸気タービン発電機の運転を確保することができる。
【００１５】
また、本発明の船舶は、上記のいずれかに記載された内燃機関システムを備えていることを特徴とする。
【００１６】
上記のいずれかの内燃機関システムを備えることにより、蒸気タービン及び蒸気タービン発電機の安定運転が可能な内燃機関システムを備えた船舶を提供することができる。
【００１７】
また、本発明の内燃機関システムの運転方法は、内燃機関と、該内燃機関からの排気ガスによって駆動されるタービン部、該タービン部により駆動されて前記内燃機関に空気を圧送するコンプレッサ部、および前記タービン部の回転力を得て発電する発電部を有する過給機と、前記内燃機関からの排気ガスから熱回収するとともに汽水分離器を備えた排ガスボイラと、前記排ガスボイラへ給水される水量を制御する給水制御弁と、前記排ガスボイラで得られた蒸気によって駆動される蒸気タービンと、蒸気タービンへ導かれる蒸気量を制御する蒸気入口制御弁と、該蒸気タービンによって発電する蒸気タービン発電機と、を備えた内燃機関システムの運転方法であって、前記給水制御弁を、前記汽水分離器内の水位が許容水位範囲を下回ると開方向に制御し、かつ、該許容水位範囲を上回ると閉方向に制御する工程と、前記蒸気入口制御弁を、前記過給機の前記発電部による発電量の増減に応じて、前記蒸気タービン発電機による発電量を補うように制御する工程と、前記過給機の前記発電部による発電を停止する過給機発電停止動作、および／または、前記過給機の前記発電部による発電を開始する過給機発電開始動作が行われる際に、前記汽水分離器の前記許容水位範囲を拡大する工程と、を有することを特徴とする。
【発明の効果】
【００１８】
過給機発電停止動作ないし過給機発電開始動作、および／または、タービンノズル通過面積増大動作ないしタービンノズル通過面積減少動作が行われる際に、汽水分離器の許容水位範囲を拡大することとしたので、汽水分離器内の圧力の急変動を抑制することにより排ガスボイラで発生する蒸気量の急変動を回避することができ、安定した蒸気タービン及び蒸気タービン発電機の運転を確保することができる。また、発電停止動作時には、排ガスボイラで発生する蒸気量の急減少を回避することができるので、安定した内燃機関の運転を確保することができる。
【図面の簡単な説明】
【００１９】
【図１】本発明の一実施形態に係る内燃機関システムの全体構成を示した概略構成図である。
【図２】図１の過給機を示した縦断面図である。
【図３】過給機の発電機能およびVTI機能の切換時の挙動を示したグラフである。
【図４】本発明の第１実施形態にかかる内燃機関システムの各機器の動作をまとめた図表である。
【図５】本発明の参考実施形態にかかる内燃機関システムの各機器の動作をまとめた図表である。
【発明を実施するための形態】
【００２０】
以下に、本発明にかかる実施形態について、図面を参照して説明する。
［第１実施形態］
以下、本発明の第１実施形態について、図１乃至図３を用いて説明する。
図１には、船舶に用いられる舶用ディーゼル機関システム（内燃機関システム）１が示されている。同図に示すように、舶用ディーゼル機関システム１は、例えば低速２サイクルディーゼル機関とされた主機（内燃機関）２と、主機２に圧縮空気を供給する過給機３と、主機２からの排気ガスから熱回収する排ガスエコノマイザ（排ガスボイラ）４とを備えている。
【００２１】
主機２を構成するクランク軸（図示せず）には、プロペラ軸（図示せず）を介してスクリュープロペラ（図示せず）が直接的または間接的に取り付けられている。また、主機２には、シリンダライナ（図示せず）、シリンダカバー（図示せず）等からなるシリンダ部６が設けられており、各シリンダ部６内には、クランク軸と連結されたピストン（図示せず）が配置されている。
【００２２】
各シリンダ部６の排気ポート（図示せず）は、排気マニホールド７と接続されている。排気マニホールド７は、排気管Ｌ１を介して過給機３のタービン部３ａの入口側と接続されている。
排気マニホールド７には、排気バイパス弁（排気バイパス手段）１１が設けられており、この排気バイパス弁１１を開とすることにより、排気マニホールド７からの排気ガスの一部を過給機３へと供給させずに排ガスエコノマイザ４側へとバイパスするようになっている。排気バイパス弁１１は、図示しない制御部によって制御されるようになっている。
【００２３】
各シリンダ部６の給気ポート（図示せず）は、給気マニホールド（空気溜め部）８と接続されており、給気マニホールド８は、給気管Ｌ２を介して過給機３のコンプレッサ部３ｂと接続されている。給気管Ｌ２には、主機給水ヒータ１７と空気冷却器１３が設けられており、コンプレッサ部３ｂにより圧縮された空気と熱交換されるようになっている。主機給水ヒータ１７は、空気冷却器１３の圧縮空気流れ上流側に設けられており、後述する給水ポンプ１８から導かれた給水が圧縮空気によって加熱されるようになっている。主機給水ヒータ１７によって加熱された給水は、補助ボイラ１４の汽水分離器１２と、低圧蒸気系統１９に設けられた低圧汽水分離器２１とへ送られる。空気冷却器１３は、主機給水ヒータ１７によって温度低下した圧縮空気を、図示しない冷却水によってさらに冷却するようになっている。
給気マニホールド８には、掃気バイパス弁（掃気抽気手段）９が設けられており、この掃気バイパス弁９を開とすることにより、給気マニホールド８内の空気を放出することができるようになっている。掃気バイパス弁９は、図示しない制御部によって制御されるようになっている。
【００２４】
過給機３は、図１及び図２に示されているように、排気管Ｌ１を介して主機２から導かれた排気ガス（燃焼ガス）によって駆動されるタービン部３ａと、このタービン部３ａにより駆動されて主機２に外気（空気）を圧送するコンプレッサ部３ｂとを主たる要素として構成されたものである。
【００２５】
過給機３は、タービン部３ａの回転力を得て発電する発電機３ｃを備えている。発電機３ｃは、ＭＳＢ（主機電盤）２６に設けられたＰＭＳ（パワー・マネジメント・システム）２８からの制御信号によって制御されるようになっている。すなわち、ＰＭＳ２８と発電機３ｃのインバータ３０との間で制御信号がやりとりされている。インバータ３０と発電機３ｃとの間にはコンバータ３２が設けられており、インバータ３０との間で制御信号がやりとりされるようになっている。発電機３ｃにて発電された交流電力は、コンバータ３２で交直変換された後にインバータ３０で所望の周波数に直交変換され、コンタクタ３５を介して船内母船３３へと送られる。
ＰＭＳ２８は、船内需要電力に応じて発電電力を制御するものであり、ディーゼルエンジン発電機ＤＧを駆動する例えば４ストロークとされた発電用ディーゼルエンジン３７の制御も行うようになっている。ディーゼルエンジン発電機ＤＧの発生電力は、船内母船３３へと出力される。なお、図１では、３組の発電用ディーゼルエンジン３７及びディーゼルエンジン発電機ＤＧが示されているが、１組や２組でも、あるいは４組以上であっても良い。さらに、ＰＭＳ２８は、リチウム二次電池等の二次電池の制御を行うようにしても良い。
【００２６】
過給機３は、排気管Ｌ１からタービン部３ａへ供給される排気ガスのタービンノズル通過面積を可変とするタービンノズル通過面積可変機構３ｇが設けられている。具体的には、タービンノズル通過面積可変機構３ｇは、タービンノズルを内周側および外周側に分ける隔壁３ｆ（図２参照）と、排気管Ｌ１から導かれた排気ガスの一部を分岐する分岐配管３ｄと、この分岐配管３ｄの開閉を行う開閉弁３ｅとを備えている。分岐配管３ｄを流れた排気ガスは、図２に示すように、タービンノズルの隔壁３ｆの内周側を流れるようになっている。なお、開閉弁３ｅは、図示しない制御部によって制御される。
開閉弁３ｅを閉じると排気ガスは分岐配管３ｄを流れずにタービンノズルの隔壁３ｆの外周側のみを流れるようになり、タービンノズル通過面積が狭められることでVTI機能がONとなる。一方、開閉弁３ｅを開けると排気ガスは分岐配管３ｄを流れてタービンノズルの隔壁３ｆの内周側にも流れるようになり、タービンノズル通過面積が拡大されてVTI機能がOFFとなる。
【００２７】
図１に示されているように、排ガスエコノマイザ４は、その煙道内に、排気ガス流れの上流側から順に高圧熱交換器１０ａ、中圧熱交換器１０ｂ及び低圧熱交換器１０ｃを有している。各熱交換器１０ａ，ｂ，ｃは、複数の伝熱管を備え、排ガスエコノマイザ４の煙道内を流れる高温の排気ガスによって伝熱管内を流れる水が加熱されるようになっている。
【００２８】
高圧熱交換器１０ａには、補助ボイラ１４の汽水分離器１２にて分離された蒸気が導かれる。高圧熱交換器１０ａにて加熱されて過熱度が上昇した過熱蒸気は、蒸気入口制御弁２２を介して蒸気タービン２３へと導かれる。なお、汽水分離器１２にて分離された蒸気の一部は、船内補機２０へと導かれる。船内補機２０における蒸気の主な用途は、主機２の燃料として用いられる重油燃料および潤滑油の加熱に用いられる。
高圧熱交換器１０ａにて加熱された過熱蒸気の一部は、高圧蒸気バイパス弁２９を介して各船内補機２０へと導かれる。それぞれの船内補機２０へ供給される蒸気の分配は、各流量調整弁３１ａ，３１ｂを制御することによって行われる。各船内補機２０へ導かれず余剰となった蒸気は、コンデンサ３４へと導かれる。
【００２９】
中圧熱交換器１０ｂには、補助ボイラ１４の汽水分離器１２にて分離された水が送水ポンプ２５ａを介して導かれる。中圧熱交換器１０ｂにて加熱されて蒸発した蒸気は、汽水分離器１２へと導かれる。
【００３０】
汽水分離器１２内には、水と蒸気が上下にそれぞれ分離して収容されている。汽水分離器１２には、上述したように主機給水ヒータ１７にて加熱された水が供給される。汽水分離器１２へと供給される給水量は、給水制御弁２７によって制御される。給水制御弁２７は、図示しない制御部によって、汽水分離器１２内の水位が許容水位範囲内に維持されるように、その開度が制御されるようになっている。汽水分離器１２内の水位は、図示しない水位計によって計測されており、その計測値は図示しない制御部へと送信される。
汽水分離器１２の上部には、安全弁２４が設けられており、汽水分離器１２内の圧力が所定値以上になると安全弁が開き内部の蒸気を外部へと放出するようになっている。
【００３１】
低圧熱交換器１０ｃは、低圧蒸気系統１９に設けられ、送水ポンプ２５ｂを介して低圧汽水分離器２１から導かれた水を加熱して蒸発させる。低圧熱交換器１０ｃにて蒸発した蒸気は、低圧汽水分離器２１へと送られる。低圧汽水分離器２１にて分離された蒸気は、蒸気タービン２３の中間段へと導かれ、残部が船内補機２０へと導かれる。
各船内補機２０にて使用された後の蒸気は、ドレンクーラ１５へと導かれ、ドレンクーラ１５によって凝縮されたドレン水は、ドレン溜まり１６に貯留される。ドレン溜まりには、後述するグランドコンデンサ３６からの凝縮水も導かれる。ドレン溜まり１６内に貯留されたドレン水は、給水ポンプ１８によって上述した主機給水ヒータ１７へと導かれる。
【００３２】
蒸気タービン２３には、減速機３８を介して蒸気タービン発電機４０が接続されている。蒸気タービン発電機４０の発電出力は、図示しない電力線を介して船内母船３３へと導かれる。
蒸気タービン２３に供給される高圧蒸気流量は、蒸気入口制御弁２２によって調整される。蒸気入口制御弁２２の開度は、タービンコントロールパネル４３の指令を受けたガバナ４４からの信号によって制御される。タービンコントロールパネル４３は、ＰＭＳ２８によって制御される。したがって、蒸気入口制御弁２２は、ＰＭＳ２８によって定められた発電量を蒸気タービン発電機４０が出力するように、その開度が制御されるようになっている。
蒸気タービン２３にて仕事を終えた蒸気は、コンデンサ３４へと導かれて凝縮し、その凝縮水（復水）は復水ポンプ４２によってグランドコンデンサ３６へと導かれる。
【００３３】
上記構成の内燃機関システムは、以下のように動作する。以下では、「通常運転時」、「主機負荷上昇時の切換時」、「主機負荷減少時の切換時」に分けて説明する。ここで、通常運転時とは、過給機３にて発電をしている状態で発電機能やVTI機能を切り替えるタイミング以外の状態を意味し、汽水分離器１２内の圧力が急変動せずに蒸気タービン２３の継続運転が可能とされる状態を意味する。
【００３４】
［通常運転時］
ドレン溜まり１６に貯留されたドレン水は、給水ポンプ１８によって主機給水ヒータ１７へと導かれ加熱され、補助ボイラ１４の汽水分離器１２と低圧蒸気系統１９の低圧汽水分離器２１へと導かれる。
汽水分離器１２へと導かれた水は、送水ポンプ２５ａによって中圧熱交換器１０ｂへと導かれて蒸気とされ、汽水分離器１２へと戻される。汽水分離器１２にて分離された蒸気は、高圧熱交換器１０ａへと導かれ、高温の過熱蒸気とされる。高圧熱交換器１０ａにて生成された過熱蒸気は、蒸気入口制御弁２２にて流量を調整された後に蒸気タービン２３へと導かれる。
一方、低圧汽水分離器２１へと導かれた水は、送水ポンプ２５ｂによって低圧熱交換器１０ｃへと導かれて蒸気とされ、低圧汽水分離器２１へと戻される。低圧汽水分離器２１にて分離された低圧蒸気は、蒸気タービン２３の中間段へと導かれる。
導かれた蒸気によって駆動された蒸気タービン２３の回転出力は、減速機３８を介して蒸気タービン発電機４０へと伝達され、発電が行われる。この蒸気タービン発電機４０による発電量は、ＰＭＳ２８によって管理されている。ＰＭＳ２８は、過給機３の発電機３ｃの発電量、他の発電機（ディーゼルエンジン発電機ＤＧ）の発電量、二次電池ＢＴの充放電状態をオンラインで得ており、これらから供給される電力の合計が船内需要電力を満たすように各機器に発電指令を送る。蒸気タービン発電機４０の発電量については、タービンコントロールパネル４３に指示を送り、ガバナ４４を介して蒸気入口制御弁２２の開度が制御される。具体的には、蒸気入口制御弁２２は、過給機３の発電機３ｃによる発電量の増減に応じて、蒸気タービン発電機４０による発電量を補うように制御される。すなわち、過給機３の発電機３ｃの発電量が減少したときには蒸気タービン発電機４０による発電量が増大するように蒸気入口制御弁２２の開度が開方向に制御され、過給機３の発電機３ｃの発電量が増加したときには蒸気タービン発電機４０による発電量が減少するように蒸気入口制御弁２２の開度が閉方向に制御される。
【００３５】
過給機３の発電機３ｃの発電量は、主機２の負荷に応じて増減するようになっており、図３の「ハイブリッド過給機発電電力」のグラフに示されているように、主機負荷６５％以上では、主機負荷が上昇すれば発電量が増加し、主機負荷が減少すれば発電量が減少するようになっている。
【００３６】
補助ボイラ１４の汽水分離器１２内の水位は、給水制御弁２７によって調整される。通常運転時には、汽水分離器１２内の水位が所望値から下回ると開方向に制御され、所望値を上回ると閉方向に制御される。すなわち、通常運転時には、許容水位範囲（トレランス）を±５０ｍｍとして水位制御が行われる。この許容水位範囲は、プラントに応じて設定されるものであるが、通常運転時には蒸気タービン及び蒸気タービン発電機の安定的な運転を目指すために可及的に許容水位範囲を狭くすることが好ましい。
【００３７】
［主機負荷上昇時の切換時］
次に、主機負荷上昇時に、過給機の発電機能およびVTI機能を切り換える場合について説明する。
図３に示すように、主機負荷上昇時（増速時）では、発電機能については所定の負荷（図３では６５％）にて非発電動作から発電動作へと切り換える。これは、図３の「ハイブリッド過給機発電電力」のグラフの実線が負荷６５％で立ち上がっていることから分かる。一方、VTI機能については、所定の負荷（図３では６５％）にてONからOFFへと切り換える。これは、図３の「主機掃気圧力」のグラフの細実線が一点鎖線よりも高い圧力から負荷６５％で降下していることから分かる。そして、同図の「主機排気ガス温度」のグラフから分かるように、排気ガス温度が急激に上昇する。
【００３８】
このように、主機負荷上昇時に非発電動作から発電動作に切り換えるとともに、VTI機能をONからOFFへと切り替えると、過給機３の発電機３ｃの発電量が増加するだけでなく、主機２から排出される排気ガスの温度が上昇する。過給機３の発電機３ｃの発電量が増加すると、過給機３の発電機３ｃの発電量が増加した分、蒸気タービン発電機４０の発電量を減少させるように蒸気入口制御弁２２が閉方向に制御される（絞られる）。また、排気ガスの温度が上昇すると、汽水分離器１２内の圧力が上昇することで蒸気タービンに供給される蒸気圧力がさらに上昇するので、蒸気入口制御弁２２はさらに閉方向に制御される。蒸気入口制御弁２２が閉方向に制御されると、汽水分離器１２内の水位が上昇し、通常運転時に用いる許容水位範囲内に維持するために給水制御弁２７が閉方向に制御されて（絞られて）、給水を減少させることとなる。しかし、温度の低い新たな給水が適正に供給されないため汽水分離器１２内の温度が上昇して汽水分離器１２内の圧力がさらに上昇してしまう。
このように、過給機３の発電開始動作が行われると、過給機３の発電機３ｃの発電量の増大だけでなく排気ガス温度の上昇が生じるので、蒸気入口制御弁２２の閉動作および給水制御弁２７の閉動作が重なり、汽水分離器１２内の圧力が急上昇し、排ガスエコノマイザ４で発生する蒸気量が大きく増加して安定した蒸気タービン及び蒸気タービン発電機の運転が困難となるおそれがある。
【００３９】
そこで、本実施形態では、過給機３の発電開始動作が行われる際に、汽水分離器１２の許容水位範囲を通常運転時（本実施形態では±５０mm）よりもトレランスを拡大することとし（本実施形態では＋１５０mm以下）、汽水分離器１２内の水位が上昇しても通常運転時よりも拡大した許容水位範囲内である場合には、給水制御弁２７を絞って給水量を減少させることを禁止した。これにより、通常運転時の許容水位範囲より水位が上昇しても給水量を減少させることがないので、汽水分離器１２内の圧力の急上昇を抑制することができ、排ガスエコノマイザ４で発生する蒸気量の急激な増加を回避して、安定した蒸気タービン及び蒸気タービン発電機の運転を確保することができる。
【００４０】
［主機負荷減少時の切換時］
主機負荷減少時（減速時）は、上述した主機負荷上昇時とは逆に、発電機能については所定の負荷（図３では６５％）にて発電動作から非発電動作へと切り換える。一方、VTI機能については、所定の負荷（図３では６５％）にてOFFからONへと切り換える。この場合、図３の「主機掃気圧力」のグラフから分かるように、掃気圧力が急上昇する。そして、図３の「主機排気ガス温度」から分かるように、排気ガス温度が急激に降下する。
【００４１】
このように、主機負荷減少時に発電動作から非発電動作に切り換えるとともに、VTI機能をOFFからONへと切り替えると、過給機３の発電機３ｃによる発電が停止するだけでなく、ディーゼル機関から排出される排気ガスの温度が降下する。過給機３の発電機３ｃによる発電が停止すると、それを補うために、蒸気タービン発電機４０の発電量を増加させるように蒸気タービン２３の蒸気入口制御弁２２が開方向に制御される。また、排気ガス温度が降下すると、汽水分離器１２内の圧力が低下することで蒸気タービンに供給される蒸気圧力がさらに低下するので、さらに蒸気を得ようとして蒸気入口制御弁２２は開方向に制御される。蒸気入口制御弁２２が開くと、汽水分離器１２内の蒸気が強制的に発生させられて汽水分離器１２内の水位が低下し、許容水位範囲内に維持するために給水制御弁２７が開方向に制御されて給水を増大させることとなる。しかし、温度の低い新たな給水が供給されるため汽水分離器１２内の温度が降下して汽水分離器１２内の圧力がさらに低下してしまう。
このように、過給機３の発電停止動作が行われると、発電が停止するだけでなく排気ガス温度の降下が生じるので、蒸気入口制御弁２２の開動作および給水制御弁２７の開動作が重なり、汽水分離器１２内の圧力が急降下し、排ガスエコノマイザ４で発生する蒸気量が大きく減少して安定した蒸気タービン及び蒸気タービン発電機の運転が困難となるおそれがある。また、排ガスエコノマイザ４で発生する蒸気量が減少すると、必要な蒸気が賄えず、最悪の場合、高粘度の重油燃料及び潤滑油を暖めることができず、粘度コントロールができなくなることで、主機２の安定運転までもが困難となるおそれがある。
【００４２】
そこで、本実施形態では、過給機３の発電停止動作が行われる際に、汽水分離器１２の許容水位範囲を通常運転時（本実施形態では±５０mm）よりもトレランスを拡大することとし（本実施形態では−１５０mm以上）、汽水分離器１２内の水位が低下しても通常運転時よりも拡大した許容水位範囲内である場合には、給水制御弁２７を開いて給水量を増大させることを禁止した。これにより、通常運転時の許容水位範囲より水位が低下しても給水量を増大することがないので、汽水分離器１２内の圧力の急減少を抑制することができ、排ガスエコノマイザ４で発生する蒸気量の急減を回避して、安定した蒸気タービン及び蒸気タービン発電機さらには主機２の運転を確保することができる。
【００４３】
図４には、上述した通常運転時および切換時の各機器の動作がまとめられている。
同図に示されているように、汽水分離器１２の許容水位範囲が通常運転時には±５０mmとされているものが、切換時には±１５０mmに変更されるようになっている。
【００４４】
なお、汽水分離器１２の許容水位範囲の切換のタイミングは、過給機３の発電機能およびVTI機能の切り換えの際に行われ、これは種々の方法によって得ることができる。例えば、汽水分離器１２内の圧力の時間変化率、水位の時間変化率、及び、排ガスエコノマイザ４の入口温度または出口温度あるいは平均温度の時間変化率のうち、いずれか又はこれらの組合せを用いて蒸気発生量の増減を制御部で予測することにより判断することができる。また、過給機３の発電機能の切り換えは、インバータ３０の制御出力を得て判断することができ、VTI機能の切り換えは、過給機３の開閉弁３ｅ（図２参照）の動作を検出することによって判断することができるので、これらの切り換えタイミングに基づいて判断しても良い。また、発電機能およびVTI機能の切り換えのタイミングは、所定の主機負荷で予め固定されている場合には、主機負荷増加レートを制御部で把握しておくことにより容易に予測することができる。
【００４５】
許容水位範囲を拡大した後、通常運転時の許容水位範囲に復帰させるタイミングとしては、例えば、上述のように、汽水分離器１２内の圧力の時間変化率、水位の時間変化率、及び、排ガスエコノマイザ４の入口温度または出口温度あるいは平均温度の時間変化率のうち、いずれか又はこれらの組合せを用いて蒸気発生量の増減を制御部で予測することにより判断することができる。
また、切換時の主機負荷（６５％）から所定量だけ主機負荷が変化したことをもって復帰タイミングとすることができる。あるいは、切換時から所定時間経過後を復帰タイミングとしてもよく、水位計によって計測された水位の時間変化量が所定値以下となったことをもって復帰タイミングとしてもよい。
【００４６】
また、上述した各実施形態では、過給機３として発電機能およびVTI機能を備えたものを前提として説明したが、VTI機能を備えずに発電機能のみを備えたいわゆるハイブリッド過給機の場合にも本発明を適用することができる。なぜなら、発電機能の切換時に排気ガス温度が急変動するとともに、蒸気タービン発電機４０への発電指令値が急変動する事象は、VTI機能を備えていなくても発生するからである。
【００４７】
［参考実施形態］
次に、参考実施形態について説明する。基本的構成は図１乃至図３を用いて説明した第１実施形態と同様であるのでその説明は省略する。第１実施形態では、過給機３の発電機能およびVTI機能の切換時に汽水分離器１２の許容水位範囲を変更することによって、汽水分離器１２内の急激な圧力変動を回避することとしたが、本実施形態では、許容水位範囲を変更せずに、二次電池ＢＴを用いる点で相違する。
したがって、本実施形態は、ＰＭＳ２８が二次電池を管理する場合に適用できるものである。
【００４８】
通常運転時は、第１実施形態と同様であるので、その説明を省略する。
主機負荷上昇時に過給機３の発電開始動作が行われる際に、二次電池による充電要求指令を図示しない制御部からＰＭＳ２８に発することとした。ＰＭＳ２８は、充電要求指令を受けると、二次電池に対して充電指令を送る。二次電池は、過給機３の発電機３ｃの発電量の増大分を吸収するように充電する。このようにしてＰＭＳ２８は、各発電機からの合計電力を船内需要電力に合わせることができる。
これにより、過給機３の発電機３ｃの発電量の増大分を吸収するために蒸気入口制御弁２２を絞ることが回避されるので、汽水分離器１２内の圧力の急上昇を抑制することができ、排ガスエコノマイザ４で発生する蒸気量の急上昇を回避して、安定した蒸気タービン及び蒸気タービン発電機の運転を確保することができる。
【００４９】
また、主機負荷減少時に過給機３の発電停止動作が行われる際に、二次電池による放電要求指令を図示しない制御部からＰＭＳ２８に発することとした。ＰＭＳ２８は、放電要求指令を受けると、二次電池に対して放電指令を送る。二次電池は、過給機３の発電機３ｃによる発電量の低下分を補うように放電する。このようにしてＰＭＳ２８は、各発電機からの合計電力を船内需要電力に合わせることができる。
これにより、過給機３の発電機３ｃの発電停止にともなう船内の発電量の低下分を補うために蒸気入口制御弁２２が開くことが回避されるので、汽水分離器１２内の圧力の急減少を抑制することができ、排ガスエコノマイザ４で発生する蒸気量の急減を回避して、安定した蒸気タービン及び蒸気タービン発電機の運転を確保することができる。
【００５０】
図５には、上述した通常運転時および切換時の各機器の動作がまとめられている。
同図に示されているように、通常運転時には二次電池に対する動作要求をＰＭＳ２８に行うことはせずに、切換時に充電要求または放電要求を行うようになっている。
【００５１】
また、上述した各実施形態では、過給機３として発電機能およびVTI機能を備えたものを前提として説明したが、VTI機能を備えずに発電機能のみを備えたいわゆるハイブリッド過給機の場合にも本発明を適用することができる。なぜなら、発電機能の切換時に排気ガス温度が急変動するとともに、蒸気タービン発電機４０への発電指令値が急変動する事象は、VTI機能を備えていなくても発生するからである。
【符号の説明】
【００５２】
１  舶用ディーゼル機関システム（内燃機関システム）
２  主機（内燃機関）
３  過給機
３ａ  タービン部
３ｂ  コンプレッサ部
３ｃ  発電機
３ｄ  分岐管（タービンノズル通過面積可変機構）
３ｅ  開閉弁（タービンノズル通過面積可変機構）
３ｆ  隔壁（タービンノズル通過面積可変機構）
４  排ガスエコノマイザ（排ガスボイラ）
１２  汽水分離器
２２  蒸気入口制御弁
２３  蒸気タービン
２８  ＰＭＳ（電力管理システム）
４０  蒸気タービン発電機
【図１】
2014084853.tif 000003
【図２】
2014084853.tif 000004
【図３】
2014084853.tif 000005
【図４】
2014084853.tif 000006
【図５】
2014084853.tif 000007